(57)【要約】【課題】  断層撮像を行う場合、被検者の時間的な負担を軽減する。【解決手段】  撮像装置は、被検眼の断層画像の取得に関する調整を可能とするように構成された第１の画面に第１の断層画像を表示させ、第１の断層画像を第１の画面に表示させた状態で取得指示が実行された後、表示手段の表示を第１の画面から、取得指示に応じて得た第２の断層画像の表示を可能とするように構成された第２の画面に変更し、取得指示に応じて得た第２の断層画像を第２の画面に表示させ、検者からの指示に応じて表示手段の表示を第２の画面から、被検眼の断層画像の取得に関する調整を可能とするように構成された第１の画面に変更する制御手段を有する。【選択図】  図４
2020175213.tif 000002
【特許請求の範囲】
【請求項１】
測定光を照射した被検眼からの戻り光と参照光との合波光に基づいて、前記被検眼の断層画像を第１の断層画像として繰り返し取得し、前記被検眼の第２の断層画像を取得するための取得指示に応じて、測定光を照射した前記被検眼からの戻り光と参照光との合波光に基づいて、前記被検眼の第２の断層画像を取得する断層画像取得手段と、
前記被検眼の断層画像の取得に関する調整を可能とするように構成された第１の画面に前記繰り返し取得される第１の断層画像を順次表示させ、前記第１の断層画像を前記第１の画面に表示させた状態で前記取得指示が実行された後、表示手段の表示を前記第１の画面から、前記取得指示に応じて得た第２の断層画像の表示を可能とするように構成された第２の画面に変更し、前記取得指示に応じて得た第２の断層画像を前記第２の画面に表示させ、検者からの指示に応じて前記表示手段の表示を前記第２の画面から、前記被検眼の断層画像の取得に関する調整を可能とするように構成された第１の画面に変更する制御手段と、
を有することを特徴とする撮像装置。
【請求項２】
測定光を照射した被検眼からの戻り光と参照光との合波光に基づいて、前記被検眼の第１の断層画像を取得し、前記被検眼の第２の断層画像を取得するための取得指示に応じて、測定光を照射した前記被検眼からの戻り光と参照光との合波光に基づいて、前記被検眼の第２の断層画像を取得する断層画像取得手段と、
前記被検眼の断層画像の取得に関する調整を可能とするように構成された第１の画面に前記第１の断層画像を表示させ、前記第１の断層画像を前記第１の画面に表示させた状態で前記取得指示が実行された後、表示手段の表示を前記第１の画面から、前記取得指示に応じて得た第２の断層画像の表示を可能とするように構成された第２の画面に変更し、前記取得指示に応じて得た第２の断層画像を前記第２の画面に表示させ、検者からの指示に応じて前記表示手段の表示を前記第２の画面から、前記被検眼の断層画像の取得に関する調整を可能とするように構成された第１の画面に変更する制御手段と、
を有することを特徴とする撮像装置。
【請求項３】
前記制御手段は、前記第１の断層画像と前記第１の断層画像に関する数値のレベルを示す表示情報とを前記第１の画面に表示させることを特徴とする請求項１または２に記載の撮像装置。
【請求項４】
前記制御手段は、前記数値のレベルを示す表示情報として、前記第１の断層画像の明るさに対応する数値のレベルを示す表示情報、または前記第１の断層画像の輝度値の最大値と背景ノイズの輝度値との比を示す表示情報を、前記第１の画面に表示させることを特徴とする請求項３に記載の撮像装置。
【請求項５】
前記制御手段は、前記取得指示に応じて前記被検眼の第２の断層画像が得られた後、前記表示手段の表示を前記第１の画面から前記第２の画面に変更することを特徴とする請求項１乃至４のいずれか１項に記載の撮像装置。
【請求項６】
前記制御手段は、前記取得指示に応じて得た第２の断層画像と前記取得指示に応じて得た第２の断層画像に関する良否判定を示す表示情報とを前記第２の画面に表示させることを特徴とする請求項１乃至５のいずれか１項に記載の撮像装置。
【請求項７】
前記制御手段は、前記良否判定を示す表示情報として、前記取得指示に応じて得た第２の断層画像の枠の強調に関する情報を前記第２の画面に表示させることを特徴とする請求項６に記載の撮像装置。
【請求項８】
前記制御手段は、前記取得指示に応じて得た第２の断層画像が失敗である場合のボタンを前記表示手段に表示させ、前記失敗である場合のボタンに対する検者からの指示に応じて前記表示手段の表示を前記第１の画面に変更することを特徴とする請求項１乃至７のいずれか１項に記載の撮像装置。
【請求項９】
前記制御手段は、前記取得指示に応じて得た第２の断層画像を保存するための保存ボタンと前記失敗である場合のボタンとを前記表示手段に表示させることを特徴とする請求項８に記載の撮像装置。
【請求項１０】
前記制御手段は、前記被検眼の略同一位置の断層画像を繰り返し取得して得たＢスキャン画像を前記第１の断層画像として前記第１の画面に順次表示させることを特徴とする請求項１乃至９のいずれか１項に記載の撮像装置。
【請求項１１】
前記制御手段は、前記表示手段の表示を前記第１の画面に変更するための表示情報に対する検者からの１回の指示に応じて前記表示手段の表示を前記第２の画面から前記第１の画面に変更することを特徴とする請求項１乃至１０のいずれか１項に記載の撮像装置。
【請求項１２】
前記制御手段は、前記変更するための表示情報として、タブまたはボタンを前記表示手段に表示させ、前記タブまたは前記ボタンに対する検者からの１回の指示に応じて前記表示手段の表示を前記第２の画面から前記第１の画面に変更することを特徴とする請求項１１に記載の撮像装置。
【請求項１３】
前記制御手段は、前記被検眼の眼底画像と前記第１の断層画像とを並べて前記第１の画面に表示させるとともに、前記眼底画像に対して前記被検眼の断層画像の取得位置を示す表示情報を重畳した状態で前記第１の画面に表示させ、前記眼底画像に対して前記取得位置を示す表示情報を移動させるための検者からの指示に応じて前記被検眼において前記測定光を走査する走査手段を制御することを特徴とする請求項１乃至１２のいずれか１項に記載の撮像装置。
【請求項１４】
前記測定光と前記参照光との光路長差を変更する変更手段を更に有し、
前記制御手段は、前記測定光の光路長と前記参照光の光路長とに基づくゲート位置を調整するためのスライダと前記第１の断層画像とを並べて前記第１の画面に表示させ、前記スライダに対する検者からの指示に応じて前記変更手段を制御することを特徴とする請求項１乃至１３のいずれか１項に記載の撮像装置。
【請求項１５】
測定光を照射した被検眼からの戻り光と参照光との合波光に基づいて、前記被検眼の断層画像を第１の断層画像として繰り返し取得し、前記被検眼の第２の断層画像を取得するための取得指示に応じて、測定光を照射した前記被検眼からの戻り光と参照光との合波光に基づいて、前記被検眼の第２の断層画像を取得する断層画像取得手段と、
前記被検眼の断層画像の取得に関する調整を可能とするように構成された第１の画面に前記繰り返し取得される第１の断層画像を順次表示させ、前記第１の断層画像を前記第１の画面に表示させた状態で前記取得指示が実行された後、表示手段の表示を前記第１の画面から、前記取得指示に応じて得た第２の断層画像の表示を可能とするように構成された第２の画面に変更し、前記取得指示に応じて得た第２の断層画像を前記第２の画面に表示させ、検者からの指示に応じて前記表示手段の表示を前記第２の画面から、前記被検眼の断層画像の取得に関する調整を可能とするように構成された第１の画面に変更する制御手段と、
を有することを特徴とする制御装置。
【請求項１６】
測定光を照射した被検眼からの戻り光と参照光との合波光に基づいて、前記被検眼の第１の断層画像を取得し、前記被検眼の第２の断層画像を取得するための取得指示に応じて、測定光を照射した前記被検眼からの戻り光と参照光との合波光に基づいて、前記被検眼の第２の断層画像を取得する断層画像取得手段と、
前記被検眼の断層画像の取得に関する調整を可能とするように構成された第１の画面に前記第１の断層画像を表示させ、前記第１の断層画像を前記第１の画面に表示させた状態で前記取得指示が実行された後、表示手段の表示を前記第１の画面から、前記取得指示に応じて得た第２の断層画像の確認の表示を可能とするように構成された第２の画面に変更し、前記取得指示に応じて得た第２の断層画像を前記第２の画面に表示させ、検者からの指示に応じて前記表示手段の表示を前記第２の画面から、前記被検眼の断層画像の取得に関する調整を可能とするように構成された第１の画面に変更する制御手段と、
を有することを特徴とする制御装置。
【請求項１７】
前記制御手段は、前記第１の断層画像と前記第１の断層画像に関する数値のレベルを示す表示情報とを前記第１の画面に表示させることを特徴とする請求項１５または１６に記載の制御装置。
【請求項１８】
前記制御手段は、前記数値のレベルを示す表示情報として、前記第１の断層画像の明るさに対応する数値のレベルを示す表示情報、または前記第１の断層画像の輝度値の最大値と背景ノイズの輝度値との比を示す表示情報を、前記第１の画面に表示させることを特徴とする請求項１７に記載の制御装置。
【請求項１９】
前記制御手段は、前記取得指示に応じて前記被検眼の第２の断層画像が得られた後、前記表示手段の表示を前記第１の画面から前記第２の画面に変更することを特徴とする請求項１５乃至１８のいずれか１項に記載の制御装置。
【請求項２０】
前記制御手段は、前記取得指示に応じて得た第２の断層画像と前記取得指示に応じて得た第２の断層画像に関する良否判定を示す表示情報とを前記第２の画面に表示されることを特徴とする請求項１５乃至１９のいずれか１項に記載の制御装置。
【請求項２１】
前記制御手段は、前記良否判定を示す表示情報として、前記取得指示に応じて得た第２の断層画像の枠の強調に関する情報を前記第２の画面に表示させることを特徴とする請求項２０に記載の制御装置。
【請求項２２】
前記制御手段は、前記取得指示に応じて得た第２の断層画像が失敗である場合のボタンを前記第２の画面に表示させ、前記失敗である場合のボタンに対する検者からの指示に応じて前記表示手段の表示を前記第１の画面に変更することを特徴とする請求項１５乃至２１のいずれか１項に記載の制御装置。
【請求項２３】
前記制御手段は、前記取得指示に応じて得た第２の断層画像を保存するための保存ボタンと前記失敗である場合のボタンとを前記第２の画面に表示させることを特徴とする請求項２２に記載の制御装置。
【請求項２４】
前記制御手段は、前記被検眼の略同一位置の断層画像を繰り返し取得して得たＢスキャン画像を前記第１の断層画像として前記第１の画面に順次表示させることを特徴とする請求項１５乃至２３のいずれか１項に記載の制御装置。
【請求項２５】
前記制御手段は、前記表示手段の表示を前記第１の画面に変更するための表示情報に対する検者からの１回の指示に応じて前記表示手段の表示を前記第２の画面から前記第１の画面に変更することを特徴とする請求項１５乃至２４のいずれか１項に記載の制御装置。
【請求項２６】
前記制御手段は、前記変更するための表示情報として、タブまたはボタンを前記表示手段に表示させ、前記タブまたは前記ボタンに対する検者からの１回の指示に応じて前記表示手段の表示を前記第２の画面から前記第１の画面に変更することを特徴とする請求項２５に記載の制御装置。
【請求項２７】
前記制御手段は、前記被検眼の眼底画像と前記第１の断層画像とを並べて前記第１の画面に表示させるとともに、前記眼底画像に対して前記被検眼の断層画像の取得位置を示す表示情報を重畳した状態で前記第１の画面に表示させ、前記眼底画像に対して前記取得位置を示す表示情報を移動させるための検者からの指示に応じて前記被検眼において前記測定光を走査する走査手段を制御することを特徴とする請求項１５乃至２６のいずれか１項に記載の制御装置。
【請求項２８】
前記制御手段は、前記測定光の光路長と前記参照光の光路長とに基づくゲート位置を調整するためのスライダと前記第１の断層画像とを並べて前記第１の画面に表示させ、前記スライダに対する検者からの指示に応じて前記測定光と前記参照光との光路長差を変更する変更手段を制御することを特徴とする請求項１５乃至２７のいずれか１項に記載の制御装置。
【請求項２９】
測定光を照射した被検眼からの戻り光と参照光との合波光に基づいて、前記被検眼の断層画像を第１の断層画像として繰り返し取得し、前記被検眼の第２の断層画像を取得するための取得指示に応じて、測定光を照射した前記被検眼からの戻り光と参照光との合波光に基づいて、前記被検眼の第２の断層画像を取得する工程と、
前記被検眼の断層画像の取得に関する調整を可能とするように構成された第１の画面に前記繰り返し取得される第１の断層画像を順次表示させ、前記第１の断層画像を前記第１の画面に表示させた状態で前記取得指示が実行された後、表示手段の表示を前記第１の画面から、前記取得指示に応じて得た第２の断層画像の表示を可能とするように構成された第２の画面に変更し、前記取得指示に応じて得た第２の断層画像を前記第２の画面に表示させ、検者からの指示に応じて前記表示手段の表示を前記第２の画面から、前記被検眼の断層画像の取得に関する調整を可能とするように構成された第１の画面に変更する工程と、
を有することを特徴とする制御方法。
【請求項３０】
測定光を照射した被検眼からの戻り光と参照光との合波光に基づいて、前記被検眼の第１の断層画像を取得し、前記被検眼の第２の断層画像を取得するための取得指示に応じて、測定光を照射した前記被検眼からの戻り光と参照光との合波光に基づいて、前記被検眼の第２の断層画像を取得する工程と、
前記被検眼の断層画像の取得に関する調整を可能とするように構成された第１の画面に前記第１の断層画像を表示させ、前記第１の断層画像を前記第１の画面に表示させた状態で前記取得指示が実行された後、表示手段の表示を前記第１の画面から、前記取得指示に応じて得た第２の断層画像の確認の表示を可能とするように構成された第２の画面に変更し、前記取得指示に応じて得た第２の断層画像を前記第２の画面に表示させ、検者からの指示に応じて前記表示手段の表示を前記第２の画面から、前記被検眼の断層画像の取得に関する調整を可能とするように構成された第１の画面に変更する工程と、
を有することを特徴とする制御方法。
【請求項３１】
請求項２９または３０に記載の制御方法の各工程をコンピュータに実行させるプログラム。
【発明の詳細な説明】
【技術分野】
【０００１】
本発明は、被検査物を撮像する撮像装置に関する。
【背景技術】
【０００２】
近年、低コヒーレンス光による干渉を利用する光干渉断層法（ＯＣＴ：ＯｐｔｉｃａｌＣｏｈｅｒｅｎｃｅ  Ｔｏｍｏｇｒａｐｈｙ）を用いる撮像装置（以下、ＯＣＴ装置とも呼ぶ。）が実用化されている。これは、被検査物に入射する光の波長程度の分解能で断層像を取得できるため、試料の断層画像を高分解能で得ることができる。ＯＣＴ装置は、特に、眼科領域において、眼底に位置する網膜の断層画像を得るための有用な装置である。
【０００３】
さらに、ＯＣＴ装置と眼底カメラ（眼底の表面画像あるいは２次元画像を撮像するための装置）との複合装置も有用な装置である。このような複合装置として、眼底の表面画像と断層画像とを同時に撮像可能な装置が、特許文献１に開示されている。これは、ＯＣＴ装置を眼底カメラの光コネクタに接続される構成となっている。そして、眼底カメラに備えられるジョイスティックの操作ボタンが押下されることにより、眼底の表面画像と断層画像とを両方撮像する。
【先行技術文献】
【特許文献】
【０００４】
【特許文献１】特開２００７−２５２６９３号公報
【発明の概要】
【発明が解決しようとする課題】
【０００５】
ここで、例えば、被検眼の固視微動等による画像の位置ずれが生じた場合、断層撮像を再度行う必要がある。このとき、装置の使用者の使い勝手を向上させることが好ましい。また、断層撮像を行う場合、被検者の時間的な負担を軽減することが好ましい。
【課題を解決するための手段】
【０００６】
本発明に係る撮像装置の一つは、
測定光を照射した被検眼からの戻り光と参照光との合波光に基づいて、前記被検眼の第１の断層画像を取得し、前記被検眼の第２の断層画像を取得するための取得指示に応じて、測定光を照射した前記被検眼からの戻り光と参照光との合波光に基づいて、前記被検眼の第２の断層画像を取得する断層画像取得手段と、
前記被検眼の断層画像の取得に関する調整を可能とするように構成された第１の画面に前記第１の断層画像を表示させ、前記第１の断層画像を前記第１の画面に表示させた状態で前記取得指示が実行された後、表示手段の表示を前記第１の画面から、前記取得指示に応じて得た第２の断層画像の表示を可能とするように構成された第２の画面に変更し、前記取得指示に応じて得た第２の断層画像を前記第２の画面に表示させ、検者からの指示に応じて前記表示手段の表示を前記第２の画面から、前記被検眼の断層画像の取得に関する調整を可能とするように構成された第１の画面に変更する制御手段と、を有する。
【発明の効果】
【０００７】
本発明の一つによれば、断層撮像を行う場合、被検者の時間的な負担を軽減することができる。
【図面の簡単な説明】
【０００８】
【図１】実施例１乃至３における眼底撮像装置の全体構成を説明するための模式図である。
【図２】実施例１における光学系構成を説明するための模式図である。
【図３】実施例１における画像取得について説明するためのフロー図である。
【図４】実施例１と２における表示画面を説明するための図である。
【図５】実施例１における表示画面を説明するための図である。
【図６】実施例２における画像取得について説明するためのフロー図である。
【図７】実施例３における光学系構成を説明するための模式図と、画像取得について説明するためのフロー図である。
【発明を実施するための形態】
【０００９】
本実施例に係る眼底撮像装置について、図１などを用いて説明する。なお、眼底撮像装置とは、被検者（あるいは被験者とも呼ぶ。）の眼底（被検査物の一例）を観察すための画像を撮像可能に構成される装置のことである。このとき、肉眼による観察を含んでも良い。
【００１０】
まず、３００は、眼底の表面の２次元画像（例えば、図５（ｂ）の眼底画像１４０２。）を撮像可能に構成される眼底画像撮像部（あるいは眼底カメラ本体部とも呼ぶ。）である。これは、カメラ部５００を着脱自在に構成されることが好ましい。なお、眼底画像撮像部は、被検査物の表面画像を取得する表面画像取得手段の一例である。また、表面画像取得手段は、表面画像を表示部に表示させるコンピュータ１２５（表示制御手段の一例）が表面画像データを受信する構成等も含む。
【００１１】
次に、１００は、眼底画像撮像部３００と共通の光学系を介して構成（あるいは接続可能に構成）され、眼底の断層画像（例えば、図５（ｂ）のＢスキャン画像１４０１。）を撮像するための断層画像撮像部である。これらは、例えば、光ファイバ１４８を介して光学的に接続されることが好ましい。なお、断層画像撮像部は、被検査物の断層画像を取得する断層画像取得手段の一例である。また、断層画像取得手段は、断層画像を表示部に表示させるコンピュータ１２５（表示制御手段の一例）が断層画像データを受信する構成等も含む。
【００１２】
また、１２８は、断層画像１４０１を表示するための表示部である。表示部は、装置の出力部（後述の制御部に含めて構成されても良いし、別々に構成されても良い。）を介して接続されている。出力部は、表示部に断層画像１４０１に関する信号を出力する。
【００１３】
また、１２５は、眼底画像撮像部３００と断層画像撮像部１００と出力部とをそれぞれ制御するための制御部である。
【００１４】
また、８０４は、制御部１２５に上述したそれぞれの構成の制御に関する信号を入力するための信号入力部である。ここで、信号入力部８０４には、図１（ａ）のジョイスティック８０５に設けられる操作スイッチ８０４以外にも、図４（ｂ）の断層画像撮像ボタン１２０３など、制御部１２５に信号を入力可能なものであれば何でも良い。
【００１５】
このとき、制御部１２５は、以下のａ）からｃ）の工程を行う。
【００１６】
ａ）信号入力部８０４から入力された信号（例えば、操作スイッチ８０４への１回目の押下により入力される第１の信号。）により、断層画像（例えば、図５（ａ）の複数のＢスキャン画像から成る確認用断層画像１３０５。）を撮像するように断層画像撮像部１００を制御する。
【００１７】
ｂ）撮像された断層画像１３０５に関する信号が表示部１２８から出力するように出力部を制御する。
【００１８】
ｃ）断層画像１３０５に関する信号が出力部に出力された場合に、信号入力部８０４から入力された信号（例えば、操作スイッチ８０４への２回目の押下により入力される第２の信号。）により、２次元画像１４０２を撮像するように眼底画像撮像部３００を制御する。
【００１９】
これにより、断層画像１３０５を確認してから眼底画像１４０２の撮像に移れる。もし、固視微動などによる画像の位置ずれにより、再度断層画像を撮像する必要がある場合に、上記断層画像の確認を行うことで、効率良く撮像することができる。
【００２０】
ここで、断層画像１３０５の再撮像（再取得）を選択するための選択入力部１３０４（あるいは断層画像再撮像ボタンとも呼ぶ。）を備えることが好ましい。なお、選択入力部は、アライメントのタブでも良く、制御部１２５に信号を入力できるものであれば何でも良い。そして、制御部１２５は、断層画像１３０５に関する信号が出力部から出力された場合に、選択入力部１３０４から入力された信号により、断層画像を撮像（確認用断層画像１３０５を再び撮像）するように断層画像撮像部１００を制御することが好ましい。これにより、再度断層画像を撮像する場合、被検者の瞳孔が開くまで待つ必要がないので、再撮像を短時間で繰り返し行うことができる。
【００２１】
また、制御部１２５は、信号入力部８０４あるいは前記選択入力部１３０４から入力された信号に基づいて、出力部から画面情報（例えば、図４と図５のそれぞれの画面。）に関する信号を表示部１２８に出力することが好ましい。
【００２２】
また、上述の画面情報が、２次元画像１４０２あるいは断層画像１４０１を撮像する際の撮像モード（例えば、位置調整など。撮像する際の各種パラメータのことである。）を調整するための調整画面（例えば、アライメントのタブをクリックすることにより表示される図４（ｂ）や（ｃ）の画面。）を含むことが好ましい。このとき、制御部１２５は、調整画面で調整された撮像モードに関する信号に基づいて、眼底画像撮像部３００あるいは断層画像撮像部１００を制御することが好ましい。
【００２３】
また、上記ａ）工程における第１の信号は、操作スイッチ８０４への２回目の押下により入力されるものでも良い。このとき、１回目の押下により入力される信号は、プレビュー用の断層画像を撮像するための信号である。そして、プレビュー後、２回目の押下により入力される信号が、第１の信号となる。また、このとき、第２の信号は、３回目の押下により入力される信号となる。これらは、実施例２で詳述する。
【００２４】
さらに、図１（ｂ）のアダプター部４００を設けることも好ましい。このき、眼底画像撮像部３００は、本体部９００と、カメラを着脱自在に構成されるカメラ部５００とから構成される。アダプター部４００は、本体部９００とカメラ部５００との間に着脱自在に設けられる。そして、カメラ部５００と断層像撮像部１００とに光路を分岐する。このとき、信号入力部９０４から入力された信号をアダプター部４００と本体部９００とに入力可能に構成される制御回路部９０５を備えることが好ましい。これらは、実施例３で詳述する。
【００２５】
なお、以上は本実施形態に係る眼底撮像装置についての説明であり、本発明がこれらに限定されるものではない。
【００２６】
（制御方法）
次に、本実施形態に係る眼底撮像装置の制御方法について説明する。以下のａ−１）からｂ−１）までの各工程を含む。
【００２７】
ａ−１）表示部に画面情報（例えば、図４と図５のそれぞれの画面）を表示するための信号を出力するように出力部を制御する工程。
【００２８】
ｂ−１）信号入力部から入力された信号により、前記出力部から出力された画面情報の種類（例えば、アライメントのタブをクリックすることにより表示される図４（ｂ）や（ｃ）の画面など。各タブによって表示される画面が異なる。）に基づき、断層画像撮像部１００と眼底画像撮像部３００の何れかにより撮像するよう制御する工程。
【００２９】
（撮像方法）
また、本実施形態に係る眼底撮像装置の撮像方法について説明する。以下のａ−２）からｄ−２）までの各工程を含む。
【００３０】
ａ−２）被検者の眼底の断層画像を撮像する工程。
【００３１】
ｂ−２）表示部に表示するための前期断層画像に関する信号を出力する工程。
【００３２】
ｃ−２）前記断層画像に関する信号が出力された場合に、眼底の表面の２次元画像を撮像する（例えば、図５（ａ）の眼底画像撮像ボタン１３０１をクリックする。）、あるいは前記断層画像を再撮像する（例えば、図５（ａ）の断層画像再撮像ボタン１３０４をクリックする。）のかを選択する工程。
【００３３】
ｄ−２）前記選択された撮像を実行する工程。
【００３４】
これにより、断層画像を確認してから眼底の表面画像の撮像に移ることができる。そのため、仮に、固視微動などによる画像の位置ずれにより、再度断層画像を撮像する必要がある場合に、上記断層画像の確認を行うことで、効率良く撮像することができる。
【００３５】
ここで、ＯＣＴ装置により多数の断層画像を撮像する場合の撮像時間は、眼底カメラによる眼底の表面画像の撮像時間に対して長く、数秒程度となる場合が多い。ＯＣＴ装置による断層画像の撮像の際に、被検者（あるいは被験者とも呼ぶ。）の瞬きや固視微動（被検者が意識的に目を動かさないようにしても、目がランダムに微動してしまうこと）などにより、取得された断層画像には、輝度が低い、あるいは複数の断層画像における相対的な位置関係がずれる、ということが生じる。これらにより、眼底の網膜や視神経乳頭などの診断に重要な見たい領域が含まれない、ということが生じ得る。この場合、再度、被検者の眼底の断層画像を取得する必要がある。
【００３６】
ここで、従来、眼底カメラに備えられるジョイスティックの操作ボタンが押下されると、まず断層画像を撮像し、続いて眼底の表面画像を撮像する構成が開示されている。このように、断層画像と表面画像は、上記操作ボタンの一回の押下により、上記の順番で連続的に行われる。このとき、操作者が断層画像を確認する前に眼底の表面画像を取得していた。
【００３７】
一方、眼底カメラで眼底画像を取得するためには、フラッシュを発光させて眼底を照明する必要がある。この照明の光量が大きいことにより、眼底の表面画像の取得後には被検者の瞳孔が縮瞳してしまう。このとき、被検者によっては瞳孔が開くまで数分かかる。このため、眼底の表面画像を取得してから数分しないと、次の断層画像を取得することが出来ない。
【００３８】
上述の理由により断層画像の撮像を再度行う場合、眼底の表面画像を取得してからでは、次の撮像まで長い時間待たなければならず、装置の使用者の使い勝手が良くないという問題がある。また、眼底を撮像される被検者を撮像するための時間的な負担が大きいという問題がある。
【００３９】
そこで、本実施形態によれば、断層画像を確認してから眼底の表面画像の撮像に移ることができる。これにより、仮に、固視微動などによる画像の位置ずれにより、再度断層画像を撮像する必要がある場合に、上記断層画像の確認を行うことで、効率良く撮像することができる。また、撮像を行う使用者の使い勝手を良くし、被検者の時間的な負担を軽くすることができる。
【００４０】
（記憶媒体とプログラム）
ここで、別の実施形態として、上述の実施形態に係る撮像方法を、コンピューターに実行させるためのプログラムとして、コンピューターが読み取り可能な記憶媒体（例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＥＥＰＲＯＭ、ブルーレイディスクなど）に格納しても良い。また、別の実施形態として、上述の撮像方法をコンピューターに実行させるためのプログラムでも良い。
【実施例】
【００４１】
（実施例１：眼底撮像装置及びその制御方法）
まず、本実施例における眼底撮像装置の全体の構成について、図１を用いて説明する。
【００４２】
図１は眼底撮像装置の側面図であり、２００は眼底撮像装置、１００は断層像撮像部、３００は本体部、５００はカメラ部である。ここで、眼底カメラ本体部３００とカメラ部５００とは光学的に接続されている。また、本体部３００と断層像撮像部１００とは光ファイバー１４８を介して光学的に接続されている。本体部３００と断層像撮像部１００とはコネクタ４１０とコネクタ１４７とをそれぞれ有している。また、３２３はあご台であり、被検者のあごと額とを固定することで、被検眼の固定を促す。３９１はモニタであり、撮像時の調整のための赤外線画像などを表示する。
【００４３】
８０５は本体部３００を被検眼に位置合わせするための移動を制御するジョイスティック、８０４は断層画像撮像および眼底撮像の撮像操作の入力を行う信号入力部の一つである操作スイッチである。１２５はパーソナルコンピュータで構成された制御部であり、本体部３００およびカメラ部の制御と断層画像の構成や断層画像および眼底画像の表示等の制御を行う。１２８は表示部である制御部モニタであり、１２９はプログラムや撮像された画像を記憶するハードディスクからなる記憶部である。記憶部１２９は制御部１２５に内蔵されていてもよい。ここで、カメラ部５００は汎用のデジタル一眼レフカメラである。カメラ部５００と本体部３００とは汎用のカメラマウントで接続される。
【００４４】
（本体部の光学系の構成）
本体部の光学系の構成について、図２（ａ）を用いて説明する。
【００４５】
眼底撮像装置２００は、断層像撮像部１００とカメラ部５００とを用いて被検眼１０７の網膜１２７の断層画像（ＯＣＴ像）及び眼底画像（平面像）を取得する。
【００４６】
まず、本体部３００について説明する。被検眼１０７に対向して、対物レンズ３０２が設置され、その光軸上で孔あきミラー３０３によって光路３５１と光路３５２とに分岐される。
【００４７】
光路３５２は被検眼１０７の眼底を照明する照明光学系を形成している。眼底カメラ本体部３００の下部には、被検眼１０７の位置合わせに用いられるハロゲンランプ３１６、被検眼１０７の眼底の撮像に用いるストロボ管３１４が設置されている。ここで、３１３、３１５はコンデンサレンズ、３１７はミラーである。ハロゲンランプ３１６とストロボ管３１４とからの照明光はリングスリット３１２によってリング状の光束となり、孔あきミラー３０３によって反射され、被検眼１０７の眼底を照明する。ここで、３０９、３１１はレンズ、３１０は光学フィルターである。３９０はアライメント光学系であり、これは眼底に焦点を合わせるためのスプリットイメージや被検眼１０７と本体部３００の光学系の光路の光軸を一致させるための指標などを投影するためのものである。
【００４８】
光路３５１は被検眼１０７の眼底の断層画像及び眼底画像を撮像する撮像光学系を形成している。孔あきミラー３０３の右方にはフォーカスレンズ３０４と結像レンズ３０５が設置されている。ここで、フォーカスレンズ３０４は不図示のノブを検者が操作することにより光軸方向に移動可能に支持されている。次に、クイックリターンミラー３１８を介して、光路３５１は固視灯３２０及び赤外線用エリアセンサ３２１に導かれている。クイックリターンミラーは断層画像撮像に用いる波長範囲の赤外線は透過し、眼底撮像に用いる可視光は透過しないように構成される。赤外線用エリアセンサ３２１で得た画像情報は表示部１２８あるいはモニタ３９１（図１参照）に表示され、被検眼の位置合わせに用いられる。ここで、クイックリターンミラー３１８の表面は銀及びその保護膜が順に成膜されている。また、３１９はダイクロイックミラーであり、固視灯３２０方向に可視光が、赤外線エリアセンサ３２１方向に赤外光がそれぞれ分岐されるよう設計されている。次に、光路３５１はミラー３０６、フィールドレンズ３２２、ミラー３０７、リレーレンズ３０８を介して、カメラ５００側に導かれる。
【００４９】
一方、光路３５１はダイクロイックミラー４０５を介して、断層画像撮像用の光路３５１−１と眼底画像撮像用の光路３５１−２とに分割される。ここで、４０６、４０７はリレーレンズ、４０８はＸＹスキャナ、４０９はコリメートレンズである。簡単のため、ＸＹスキャナ４０８は一つのミラーとして記したが、実際にはＸスキャン用ミラーとＹスキャン用ミラーとの２枚のミラーが近接して配置され、網膜１２７上を光軸に垂直な方向にラスタースキャンするものである。また、光路３５１−１の光軸はＸＹスキャナ４０８の２つのミラーの回転中心と一致するように調整されている。また、４１０は光ファイバーを取り付けるためのコネクタである。
【００５０】
カメラ部５００は眼底画像を撮像するためのデジタル一眼レフカメラである。本体部３００とカメラ部５００とは汎用のカメラマウントを介して接続される。そのため、容易に着脱が可能である。５０１はエリアセンサであり、その表面に眼底画像が形成される。
【００５１】
（断層像撮像部の構成）
次に、断層像撮像部１００の構成について図２（ｂ）を用いて説明する。
【００５２】
図２（ｂ）において、１０１は光源、１１４はミラー、１１５は分散補償用ガラス、１２５は制御部、１３０はシングルモード用の光ファイバー、１３１は光カプラー、１３９は光サーキュレータ、１８０は分光器、１８３はシャッター、１８４はフォトディテクターからなる光検出器である。
【００５３】
本実施例においては、断層像撮像部１００は、被検眼１０７の網膜１２７の断層画像を取得する。また、光学系の一部を光ファイバーを用いて、構成することにより、小型化が図られている。なお、本実施例においては、光路に光ファイバーを用いたが、必ずしも用いる必要はない。
【００５４】
ここで、断層像撮像部１００の構成について説明する。断層像撮像部１００は、マッハツェンダー干渉系を構成している。光源１０１から出射された光は光カプラー１３１−１を介して測定光１０５と参照光１０６とに分割される。測定光１０５は光カプラー１３１−２を介して、さらに光量モニタのための光検出器１８４へ向う光が測定光から分割される。測定光１０５はレンズ１３５−２、１３５−３を介して光ファイバー１３０−５に導かれる。レンズ１３５−２、１３５−３の間にはシャッター１８３が設けられ、被検眼に向かう光を遮断するか否かを制御部１２５によって制御可能に構成される。具体的にシャッター１８３は不図示のソレノイドを制御部１２５で制御することで板状の遮光部材を光路上に出し入れ自由に構成されたものである。測定光１０５は光サーキュレータ１３９−２によって図中光サーキュレータ１３９−２に示した矢印方向に向かうため、光ファイバー１３０−６に導かれコネクタ１４７を介して本体部３００へと向かう。
【００５５】
その後、本体部３００を介して、観察対象である被検眼１０７の網膜１２７に照射された測定光は、網膜１２７による反射や散乱により戻り光１０８となって戻された後、再び光サーキュレータ１３９−２によって光サーキュレータ内の矢印方向に向かい、今度は光ファイバー１３０−１２に導かれ光カプラー１３１−２に到達する。
【００５６】
一方、参照光１０６は光サーキュレータ１３９−１を介して図中光サーキュレータ１３９−１に示した矢印方向に向かうため、光ファイバー１３０−８に導かれ、レンズ１３５−１、測定光と参照光の分散を合わせるために挿入された分散補償ガラス１１５を介してミラー１１４に到達し、反射される。分散補償ガラス１１５、レンズ１３５−１、光ファイバー１３０−８を介して光サーキュレータ１３９−１に到達し、図中光サーキュレータ１３９−１に示した矢印方向に向かうため、今度は光ファイバー１３０−９に導かれ光カプラー１３１−２に到達する。
【００５７】
光カプラー１３１−２によって、戻り光１０８と参照光１０６は合波される。ここで、干渉計としては測定光と参照光の光路長がほぼ同一となったときに干渉を生じる。よってミラー１１４は調整可能に保持されている。参照光１０６と戻り光１０８とは合波された後、分光器１８０に導かれる。分光器１８０は合波された光はレンズ１３５−４を介して平行光となった後、回折格子１８１で分光され、レンズ１３５−５によってラインセンサ１８２に結像される。
【００５８】
次に、光源１０１の周辺について説明する。光源１０１は代表的な低コヒーレント光源であるＳＬＤ（Ｓｕｐｅｒ  Ｌｕｍｉｎｅｓｃｅｎｔ  Ｄｉｏｄｅ）である。波長は８３０ｎｍ、バンド幅５０ｎｍである。ここで、バンド幅は、得られる断層画像の光軸方向の分解能に影響するため、重要なパラメーターである。また、光源の種類は、ここではＳＬＤを選択したが、低コヒーレント光が出射できればよく、ＡＳＥ（Ａｍｐｌｉｆｉｅｄ  Ｓｐｏｎｔａｎｅｏｕｓ  Ｅｍｉｓｓｉｏｎ）等も用いることができる。また、波長は眼を測定することを鑑みると、近赤外光が適する。さらに波長は、得られる断層画像の横方向の分解能に影響するため、なるべく短波長であることが望ましく、ここでは８３０ｎｍとする。観察対象の測定部位によっては、他の波長を選んでも良い。光源１０１から出射された光は光ファイバー１３０−１を通して、光カプラー１３１−１に導かれている。
【００５９】
ここで干渉計としてマッハツェンダー干渉計を用いたがより簡単な構成のマイケルソン干渉計を用いてもよい。これは一般的には測定光と参照光との光量差に応じて光量差が大きい場合にはマッハツェンダー干渉計を、光量差が比較的小さい場合にはマイケルソン干渉計を用いることが望ましい。
【００６０】
また、シャッター１８３は例えば液晶を用いて透過および非透過を制御可能なしたものや、角度が制御可能なミラーによって光ファイバー１３０−５へ入射させるか否かを制御可能としたものとして構成してもよい。
【００６１】
（断層画像と眼底画像の撮像方法）
つぎに、眼底撮像装置２００を用いた断層画像および眼底画像の撮像方法について説明する。眼底撮像装置２００はＸＹスキャナ４０８とを制御することで、網膜１２７における所望の部位の断層画像を取得することができ、断層画像取得後に眼底画像を取得する。
【００６２】
図３の撮像フローチャートのステップ順に説明を行う。
【００６３】
ステップ１００１は、撮像操作を開始する。制御部１２５により撮像用プログラムが実行されて制御部モニタ１２８に撮像用画面を起動する。
【００６４】
ステップ１００２は、制御部モニタ１２８に検査情報画面（あるいは初期画面）を表示する。これは撮像用画面の起動を行うと直ちに行われる。図４（ａ）は、検査情報画面である。
【００６５】
１１０１には、日付と時間が表示されている。また、１１０２には、患者情報が入力される。患者ＩＤ、患者名、年齢、眼圧、視力、屈折力、眼軸長が不図示のキーボードなどの入力装置により、文字あるいは数字が入力可能となっている。また、性別、疾病、被検眼（左右）、固視位置（黄斑、乳頭など）についてはプルダウンメニューにて選択可能となっている。なお、図４（ａ）の破線は、実施例１を説明するために記載されているので、実際は表示する必要はない。
【００６６】
１１０４には、断層画像を撮像するためのＸＹスキャナ４０８のスキャン設定が表示されている。まず、ｘ方向（被検者の眼底の深さ方向に対して略垂直な方向）の撮像本数が、Ａｓｃａｎ（深さ方向における１本分の断層画像）に表示されている。また、ｙ方向（深さ方向に対して略垂直な方向で、且つｘ方向に略垂直な方向）の撮像回数が、Ｂｓｃａｎ（２次元断層画像）に表示されている。さらに、ｘ方向とｙ方向の撮像範囲をｍｍ単位で表示している。
【００６７】
ここで、ＸＹスキャナ４０８のスキャン動作を説明する。まず、ｘ方向にスキャンを行い、ｘ方向の撮像範囲をＡｓｃａｎ撮像本数だけラインセンサ１８２で読みだした後、ｙ方向のスキャン位置を移動させて再びｘ方向のスキャンを行う、ということをｙ方向撮像範囲をＢｓｃａｎ数だけ繰り返して行う。１１０３は表示されたスキャン設定によって決定するスキャンにかかる時間の予測値を示している。例えばラインセンサ１８２読み出し周波数が３５ｋＨｚの場合には１１０３に表示される計測時間は以下となる。
（１／３５０００）×１０２４×１２８≒３．７４ｓｅｃ．
【００６８】
また、１１０５は、スキャン設定変更ボタンである。これは、表示されているスキャン設定の各々を変更したい場合に、クリックされることにより専用の設定画面を表示するためのボタンである。この設定画面については説明を省略する。さらに、１１０６は、停止ボタンである。これは、撮像を中止するためのものである。
【００６９】
ここで、ステップ１００１から１００２にかけて図２（ｂ）のシャッター１８３は、測定光を遮断した状態である。また、ステップにかかわらず起動後は光検出器１８４によって常時光量をモニタしており、光量が設定より大きくなった場合には被検眼に向かう光量が大きくなったと判断してシャッター１８３を閉じた状態を保持して被検眼１０７に測定光が向かわないようにするとともに「光量エラー」というエラーメッセージを表示する。
【００７０】
ステップ１００３は、モニタに撮像位置調整画面を表示する。これは検者が、図４（ａ）の「アライメント」タブをクリックすることにより表示が切り替わる。図４（ｂ）にはこの撮像位置調整画面を示す。１２０１は眼底の赤外線画像画面であり、図２（ａ）の赤外線エリアセンサ３２１で撮像している画像に断層画像撮像範囲１２０２を重ねて示した物である。具体的には図４（ａ）の検査情報画面に表示したスキャン範囲を図形として示したものである。１２０４はこの断層撮像範囲１２０２を上下左右に動かすためのボタンである。１２０３は撮像動作の信号入力部の一つである断層画像撮像ボタンである。１２０６はステップ１００２で説明した停止ボタン１１０６と同様の停止ボタンである。検者はこのステップにおいて眼底撮像装置２００と被検眼１０７の位置合わせを行う。具体的には、赤外線画像画面１２０１あるいは本体部３００に備わるモニタ３９１を見ながら、ジョイスティック８０５を操作してワーキングドット１２１１を上下左右均等な位置かつ最も精細にする。これにより、装置側の光軸中心を眼底の光軸中心と一致させ、かつ被検眼１０７と対物レンズ３０２との間隔を適正な距離にすることができる。また、眼底へのピント合わせのために、２本のスプリット１２１２が水平に一致するように不図示のノブを回して操作し図２（ａ）のレンズ３０５を動かすことにより調整する。この位置合わせは従来からある眼底カメラの位置合わせと同様のものである。ステップ１００３は、検者が画面上の断層画像撮像ボタン１２０３あるいは操作スイッチ８０４からの入力を待って次のステップに移行するよう待機する断層撮像待ち受け状態である。これは、制御部１２５のプログラムが、本ステップにおいて、撮像動作の信号入力部である断層画像撮像ボタン１２０３か操作スイッチ８０４の押下が断層画像撮像動作の入力となるとして判断している。また、必要な網膜の撮像箇所を調整するために被検眼１０７側の調整として固視灯３２０の発光点位置調整を行い、断層画像撮像範囲１２０２を画面上のボタン１２０４あるいは本体部３００に備えられた不図示のコントローラで調整する。
【００７１】
ステップ１００４は、検者が画面上の断層画像撮像ボタン１２０３のクリック、あるいは操作ボタン８０４の押下のいずれかが行われた場合に制御部１２５でこの入力を取得し、ＸＹスキャナ４０８を設定された情報に基づいてスキャン動作させる。それと同時にシャッター１８３を開けて測定光を被検眼１０７に照射する。なお、一方で本体部３００のクイックリターンミラー３１８は降りたままとなっており、分岐用のダイクロイックミラー４０５部には断層画像撮像用の赤外光しか導かれていない状態である。よってカメラ部５００には光が導かれていない状態である。ここでＸＹスキャナ４０８を動作させ、眼底各位置での干渉信号をラインセンサ１８２から制御部１２５は読み出す。一方、ラインセンサ１８２の各画素には分光された波長の光が入射されている。このラインセンサで得られる波長ごとの強度情報をフーリエ変換することにより得られる波形が、眼底各位置での深さ方向に関する戻り光の強度情報となる。これは一般的なＳＤ（Ｓｐｅｃｔｒａｌ  Ｄｏｍａｉｎ）−ＯＣＴの原理である。この眼底面内のある一箇所における深さ方向に関する一次元データをＡスキャンと呼ぶ。本ステップでは各位置での強度情報を取得するまでを行う。また、スキャン動作が終了した後にシャッター１８３を閉じＸＹスキャナ４０８を停止する。
【００７２】
ステップ１００５は、ステップ１００４から自動的に推移するものであり、断層画像確認画面を表示する。図５（ａ）にこの断層画像確認画面を示す。１３０５は確認用断層画像表示であり、スキャンを行ったあるｙ方向位置におけるｘ方向の断層画像（Ａスキャンをｘ方向に並べたもので、Ｂスキャン像と呼ぶ）をスキャン番号１３０５ａとともに表示する。ここでは全Ｂスキャン像の約１／５の数だけ表示する。これは設定によって全Ｂスキャン像を示したり、逆に１／１０の数に減らして表示することも可能である。この確認用断層画像は小さい画像をタイル状に並べて確認しやすいように構成している。なお、ここで表示される確認用Ｂスキャン像はＸ方向のＡスキャンを間引いて断層画像を構成している。例えば図４（ａ）のスキャン設定ではｘ方向に１０２４列のＡスキャンを撮像しているがここでの表示は２５６ラインとしている。２５６ラインのみをフーリエ変換して並べて表示することで一枚の確認用断層画像とする。また、診断などを行うための観察用の断層画像を後のステップで構成する際には固定ノイズ除去といった演算処理を行うが、ここでは前記の演算処理を省略して確認画像とする。これらは確認画像表示を早めるために行っており、確認と次のステップへの移行時間を短くできるようにしている。また、図５（ａ）で１３０１は撮像動作の信号入力部の一つである眼底撮像のボタン（眼底画像の取得を選択するための表示形態の一例）である。１３０３は保存ボタンであり、断層画像に失敗が無ければこのボタンをクリックして断層画像あるいは断層画像を構築する前のラインセンサ１８２から得られた複数の強度情報、またはその両方をファイルとして記憶部１２９に保存する。この保存の際には一連の断層画像の保存とともに、ステップ１００３で示した赤外線画像画面１２０１も保存する。これは撮影後に断層撮像範囲１２０２を簡単に確認することを目的としている。１３０４は、選択入力部である断層画像再撮像ボタン（断層画像の再取得を選択するための表示形態の一例）である。また、保存行為が行われずに眼底撮像に移行することを防ぐため、保存ボタン１３０３がクリックされてから眼底画像撮像ボタン１３０１を表示させてもよい。このステップにおいては確認用断層画像を表示した後に画面上の眼底撮像ボタン１３０１あるいは断層画像再撮像ボタン１３０４のクリックか操作スイッチ８０４の押下を待機する眼底撮像待ち受け状態となる。ここで、制御部１２５のプログラムは、本ステップにおいては、撮像動作の信号入力部である眼底画像撮像ボタン１３０１か操作スイッチ８０４の押下が、ステップ１００３と異なり眼底画像撮像動作の入力となるとして判断している。このステップにおいて、検者が断層画像確認表示を見て、瞬きや固視微動その他の原因で断層画像が途中で失敗しているか否かを確認する。例えば瞬きがあった場合には一部のＢスキャン像が他に比べて著しく暗くなり、固視微動が大きい場合には一部のＢスキャン像において観察したい網膜の部位が含まれない、などといった状態となる。一方本実施例に示したような比較的取得されるＡスキャンの総数が多い、すなわち高精細な断層画像を３次元的に得るというような場合には撮像時間が大きくなる。
【００７３】
ステップ１００２の説明で示したように本実施例の３．７秒程度の撮像時間では瞬きが生じる可能性は大きい。前述したような画像に不良があった場合に検者は断層画像撮像が失敗したと判断する。ここで、断層画像の取得が成功したかどうかを検者が判断するとしたが、撮像されたＢスキャンの中で暗い画像が含まれるか、などを制御部１２５に判断させて失敗したと判断された画像を赤枠で示すなど検者の確認を促すような表示を自動的に行ってもよい。すなわち、制御部１２５が断層画像の画質を判断してもよい。
【００７４】
ステップ１００６は、断層画像撮像が成功であれば、検者はモニタ１２８で眼底への位置調整を確認し、再調整が必要であれば行った後に、眼底撮像ボタン１３０１のクリックか操作ボタン８０４の押下を行う。その際には制御部１２５により次のステップである１００７に進む。また、断層画像撮像が失敗であり、断層画像再撮像が必要な場合に断層画像再撮像ボタン１３０４のクリックを行い、その際には制御部１２５はステップ１００４に戻って断層画像を再撮像する。
【００７５】
ステップ１００７は、眼底画像を撮像する。ストロボ管３１４を発光させ、同時にクイックリターンミラー３１８を跳ね上げ、カメラ部５００を用いて、眼底画像を撮像し記憶部１２９に保存する。
【００７６】
ステップ１００８は、撮像終了である。
【００７７】
一連の撮像が終了した後に撮像用プログラムは画面上の「断層結果表示」タブをクリックされることにより図５（ｂ）の断層画像表示画面を表示する。１４０１は撮像された断層画像のある一つのＢスキャン画像を示す。１４０３はＢスキャン選択用のスライダであり、スライダ１４０３を操作することにより見たい位置のＢスキャン画像１４０１が示される。１４０２は撮像された眼底画像を示している。断層画像撮像範囲１４０５も同時に表示している。なお、ここで表示する眼底画像は眼底撮像で得られた画像であり、ステップ１００５で保存した眼底の赤外線画像１２０１とは異なるものである。１４０４は断層画像表示の画質設定スライダであり、画像の明るさとコントラストが調整できる。なお、破線は説明のためのものであり実際の画面には表示されない。１４０６は前述の表示画面同様の停止ボタンである。ここで示される断層画像はステップ１００５の確認用の表示とは異なり、Ａスキャンの間引きは表示できる範囲において極力抑え、固定ノイズなども演算によって除去した画像を示す。これにより精密な断層画像の観察が可能となる。
【００７８】
以上述べてきたように、本実施例における眼底撮像装置は断層画像取得と眼底画像取得の間に断層画像の確認表示を行い、眼底撮像に移るか断層画像を再撮像するか選択可能とした。これにより比較的長い撮像時間がかかる断層画像撮像と眼底撮像を同時に行う装置においても、断層画像を取得し直す際にフラッシュ発光による被検眼の縮瞳からの回復を待たずに行える。また、画面表示の状態によって操作スイッチでの動作を断層画像取得、眼底画像取得と変えることができるため、装置の簡略化ができた。
【００７９】
ここで本実施例の構成では断層撮像にＳＤ−ＯＣＴ方式の構成を用いたが、断層画像取得はＴＤ（Ｔｉｍｅ  Ｄｏｍａｉｎ）−ＯＣＴ方式やＳＳ（Ｓｗｅｐｔ−Ｓｏｕｒｃｅ）−ＯＣＴ方式の構成を用いてもよい。
【００８０】
（実施例２：断層画像のプレビュー）
次に、実施例２に係る眼底撮像装置について説明する。本実施例は、実施例１に比較して断層画像と眼底画像の撮像方法の一部が異なるものである。本体構成、本体部の光学系の構成、断層像撮像部の構成は同様のためこれを省略し、断層画像と眼底画像の撮像方法について説明する。
【００８１】
（断層画像と眼底画像の撮像方法）
本実施例の眼底撮像装置を用いた撮像方法について図６および図４（ｃ）を用いて説明する。また、実施例１と同一の装置構成に関する記号は同じものを用いている。図６の撮像フローチャートのステップ順に説明を行う。
【００８２】
ステップ２００１は、撮像操作を開始する。制御部１２５により撮像用プログラムが実行されて制御部モニタ１２８に撮像用画面を起動する。これは実施例１のステップ１００１と同様である。
【００８３】
ステップ２００２は、制御部モニタ１２８に検査情報画面を表示する。これは実施例１のステップ１００２と同様である。
【００８４】
ステップ２００３は、制御部モニタ１２８に撮像位置調整画面を表示する。これは検者が図４（ａ）の「アライメント」タブをクリックすることにより表示が切り替わる。図４（ｃ）にはこの撮像位置調整画面を示す。２２０１は眼底の赤外線画像画面であり、図２（ａ）の赤外線エリアセンサ３２１で撮像している画像に断層画像撮像範囲２２０８を重ねて示した物である。２２０４はこの断層撮像範囲２２０８を上下左右に動かすためのボタンである。２２０３は断層画像撮像ボタンであるがこのステップ２００３では表示せず次のステップ２００４で表示する。２２０６は実施例１と同様の停止ボタンである。検者はこのステップにおいて眼底撮像装置２００と被検眼１０７の位置合わせを行う。この位置合わせに関しては実施例１と同様のため説明を省略する。２２０２は断層画像のプレビュー画面、２２０７はゲート位置表示用のスライダ、２２０５は信号レベル表示インジケータ（断層画像の画質を示す表示形態の一例）である。これらについてはステップ２００４で説明を行う。破線は説明のために図に付記したもので実際の画面には表示しない。撮像プログラムはこのステップ２００３において、撮像動作の信号入力部である操作スイッチ８０４の押下がプレビュー用の断層画像撮像（ステップ２００４）の信号入力となると判断している。また、必要な網膜の撮像箇所を調整するために被検眼１０７側の調整として固視灯３２０の発光点位置調整を行い、断層画像撮像範囲２２０８の位置を画面上のボタン２２０４あるいは本体部３００に備えられた不図示のコントローラで調整する。この固視灯発光点位置調整および断層画像撮像範囲の位置調整は本ステップおよび次のステップ２００４で可能である。
【００８５】
ステップ２００４は、検者が操作スイッチ８０４を押下することによりＸＹスキャナ４０８が動作し、同時にシャッター１８３が開き測定光を被検眼１０７に照射することで断層画像撮像調整のためのプレビュー用のスキャン動作を開始する。それと同時に撮像動作の信号入力部の一つである断層画像撮像ボタンを画面内に表示する。このプレビュー用のスキャンは断層画像撮像範囲２２０８の図４（ｃ）水平方向の中心線２２０８ａ付近をスキャンするものであり、得られるＢスキャン画像を断層画像プレビュー画面２２０２に表示する。このプレビュー用のスキャン動作を行っている間は同じｙ方向位置のＢスキャンを撮像し直しながら順次表示する。この断層画像プレビュー画面２２０２を見ながら検者は断層画像撮像に係る調整を行う。まず不図示のステージコントローラを用いてゲート位置調整を行う。ゲート位置調整とは参照光を折り返すミラー（図２（ｂ）の１１４）が固定される電動ステージ（図２（ｂ）の１１７）を動かして参照光との光路長差を調整することである。これはすなわち断層画像において、画面中の縦方向の網膜断面位置を調整することになる。特にＯＣＴによる断層画像撮像においては参照光と被測定物との光路長が一致した場所（これをゲート位置と呼ぶ）において一番輝度が高くなることから、なるべく網膜断面位置を参照光との光路長が一致する近くに位置させることが必要となる。ただし、ＳＤ−ＯＣＴの原理として網膜断面中にゲート位置を設定すると、フーリエ変換による鏡像が画面中に現れることから網膜位置をゲート位置に近く、かつ網膜断面中にゲート位置が無いように設定することが最も良好な画像が得られることとなる。本実施例ではゲート位置を検者が調整するとしたが、画面中の輝度などを元に制御部１２５によって自動調整を行ってもよい。ゲート位置表示用のスライダ２２０７はゲート位置が検者方向あるいは被検者方向のどの位置にゲート位置があるかを表示しており、電動ステージ１１７を移動させるガイドとなる。また、信号レベルインジケータ２２０５は表示しているＢスキャンのプレビュー画像の輝度値の最大値と背景ノイズの輝度値の比を示すもので右側に行くほど画像が明るくなることを示す。このインジケータ２２０５を参照して検者はフォーカス調整あるいはジョイスティック８０５による本体部位置の微調整を行う。このステップにおいて、検者が画面上の断層画像撮像ボタン２２０３あるいは操作スイッチ８０４からの入力を待って次のステップに移行するよう待機する断層撮像待ち受け状態である。ここで、制御部１２５のプログラムは、本ステップにおいて、撮像動作の信号入力部である断層画像撮像ボタン２２０３か操作スイッチ８０４の押下が断層画像撮像動作の入力となるとして判断している。これは実施例１のステップ１００３と同一である。また、実施例１のステップ１００３と同様に必要な網膜の撮像箇所を調整するために被検眼１０７側の調整として固視灯３２０の発光点位置調整を行い、断層画像撮像範囲２２０８を画面上のボタン２２０４あるいは本体部３００に備えられた不図示のコントローラで調整する。
【００８６】
ステップ２００５は、検者が画面上の断層画像撮像ボタン２２０３のクリック、あるいは操作ボタン８０４の押下いずれかが行われた場合に制御部１２５でこの入力を受け、断層画像撮像を行う。このステップは実施例１と同様である。
【００８７】
ステップ２００６は、ステップ２００４から自動的に推移するものであり、断層画像確認画面を表示する。実施例１と同様である。このステップにおいては確認用断層画像を表示した後に画面上の眼底撮像ボタン１３０１あるいは断層画像再撮像ボタン１３０４のクリックか操作スイッチ８０４の押下を待機する眼底撮像待ち受け状態となる。制御部１２５のプログラムは、本ステップにおいては、撮像動作の信号入力部である眼底画像撮像ボタン１２０４か操作スイッチ８０４の押下が、眼底画像撮像動作の入力となるとして判断している。これは実施例１と同様である。
【００８８】
ステップ２００７は、検者が断層画像確認表示を見て、瞬きや固視微動その他の原因で断層画像が途中で失敗しているか否かを確認した後に断層画像撮像が成功であれば、モニタ１２８で眼底への位置調整を確認し、再調整が必要であれば行った後に、眼底撮像ボタン１３０１のクリックか操作ボタン８０４の押下を行う。
【００８９】
また、断層画像撮像が失敗であり、断層画像再撮像が必要な場合には、本実施例ではこのステップにおける選択入力部である「アライメント」タブをクリックすることでステップ２００３に戻ることが出来る。これによって断層画像再撮像に際してより細かくゲート調整、フォーカス調整および本体部位置調整が可能となる。
【００９０】
ステップ２００８は、眼底画像を撮像する。第一の実施例と同様である。
【００９１】
ステップ２００９は、撮像終了である。
【００９２】
撮像が終了した後に画面上の「断層画像表示タブ」をクリックすることにより断層画像表示画面を表示する。これも第一の実施例と同様である。
【００９３】
また、ステップ２００４でプレビュー表示をしている際に、停止ボタン２２０４のクリックがあった場合、あるいはアライメントタブ以外のタブのクリックにより他の画面に移動した場合はシャッター１８３を閉じ被検者側に測定光が出ないように測定光を遮光する。再度アライメントタブがクリックされた場合はステップ２００３の状態となる。
【００９４】
以上述べてきたように、本実施例における眼底撮像装置は実施例１に加え、撮像調整（ステップ２００３）時に断層画像のプレビューを行う。これにより、例えばＢスキャンの断層画像を一枚だけ撮像する場合などにおいて、撮像される断層画像をより画質のよい状態に装置状態を調整できる。さらに、断層画像再撮像の際に撮像調整（ステップ２００３）に戻ることができるため、これによって断層画像再撮像に際してより細かくゲート調整、フォーカス調整および本体部位置調整が可能となる。また、プレビュースキャン動作の開始も操作スイッチにて可能であり、装置の簡略化とともに検者の操作負担も軽減できる。
【００９５】
（実施例３：アダプター）
次に、実施例３に係る眼底撮像装置について説明する。
【００９６】
本実施例は、実施例１に比べて装置構成の一部が異なるものである。実施例１と同様の部分はこれを省略して説明する。なお、構成上、実施例１と同様の部分は同じ記号を用いて説明する。
【００９７】
本実施例における眼底撮像装置の全体の構成について、図１（ｂ）と（ｃ）を用いて説明する。図１（ｂ）は、眼底撮像装置の側面図であり、２００は眼底撮像装置、１００は断層像撮像部、９００は眼底カメラ本体部、４００はアダプター、５００はカメラ部である。ここで、眼底カメラ本体部９００とアダプター４００とカメラ部５００とは光学的に接続されている。眼底カメラ本体部９００とアダプター４００とは相対的に移動可能に保持されている。そのため、大まかな光学的調整を行うことができる。また、アダプター４００と断層像撮像部１００とは光ファイバー１４８を介して光学的に接続されている。アダプター４００と断層像撮像部１００とはコネクタ４１０とコネクタ１４７とをそれぞれ有している。そのため、簡単に取り付け及び取り外しが可能である。９２５はパソコンであり、断層画像の構成等を行う。また、９０５は制御回路部であり、パソコン９２５とともに実施例１の制御部と同一のものとなる。また、９２８はパソコン用モニタ、９２９はハードディスクなどからなる記憶部であり、パソコン９２５内部に配置されていてもよい。
【００９８】
また、図１（ｃ）に示したように、眼底カメラ本体部９００とカメラ部５００とで１つの眼底カメラ７００を構成できる。このとき、断層画像撮像部１００は使用しないので、制御回路部９０５も使用する必要はない。眼底カメラ７００において、カメラ部５００を眼底カメラ本体部３００から取り外し、カメラ部５００と眼底カメラ本体部３００との間にアダプター４００を取り付けることで、眼底撮像装置を構成することができる。
【００９９】
（眼底カメラ部、アダプターおよびカメラ部の光学系の構成）
本実施例におけるアダプターを含んだ眼底撮像装置の光学系の構成について図７（ａ）を用いて説明する。実施例１と同一の部材は同じ記号を用いている。実施例１における本体部の光学系の構成を、眼底カメラ部９００とアダプター４００に分離した構成となっている。アダプター４００は、ダイクロイックミラー４０５、リレーレンズ４０６、４０７、コリメートレンズ４０９、ＸＹスキャナ４０８、コネクタ４１０を含み構成される。ここで、光路３５１を含む被検眼側の光学系は全て眼底カメラ部９００に含まれる。各構成の詳細は実施例１と同様のため説明を省略する。なお、図１（ｂ）に示した眼底カメラ７００の状態の場合には眼底カメラ本体部９００内のリレーレンズ３０８がカメラ部５００内のエリアセンサ５０１に眼底画像を結像するよう構成されている。
【０１００】
（断層像撮像部の構成）
実施例１と同様のため説明を省略する。ただし、実施例１において制御部１２５に接続されていた部分は本実施例では制御回路部９０５に接続される。
【０１０１】
（断層画像と眼底画像の撮像方法）
まず、図１（ｃ）に示した眼底カメラ７００の構成における眼底画像撮像方法について、図７（ｂ）を用いて説明する。
【０１０２】
ステップ３００１は、撮像操作を開始し、パソコン９２５によりモニタ９２８に眼底カメラ単体用のプログラムを起動し撮像用画面を表示する。これは実施例１のステップ１００１と同様である。
【０１０３】
ステップ３００２は、検査情報画面表示を行う。実施例１のステップ３００２とほぼ同等であるが、スキャン動作は行わないため、スキャン動作に係る情報は表示しない。
【０１０４】
ステップ３００３は、眼底面内アライメント画面表示を行う。眼底カメラ構成の際はモニタ９０１に位置調整用の眼底赤外線画像を表示し、検者はそれを元に眼底カメラ本体部の位置調整をジョイスティック９０３で行い、不図示のノブでフォーカス調整を行う。このステップでは眼底カメラ単体用のプログラムは撮像動作の信号入力部である操作スイッチ９０４からの入力が眼底撮像動作を行うとして判断している。信号によってステップ３００４に移行する。
【０１０５】
ステップ３００４は、眼底撮像を行う。これは実施例１のステップ１００７と同様である。撮像された眼底画像のデータは眼底カメラ本体部９００を介してモニタ９２８に表示され記憶部９２９に保存される。
【０１０６】
ステップ３００５は、撮像終了である。
【０１０７】
なお、眼底撮像装置２００構成の際の断層画像と眼底画像の撮像方法については、実施例１および実施例２と同様のため省略する。
【０１０８】
ここで、眼底カメラ７００の状態から眼底撮像装置２００の状態にする際に断層像撮像部１００、アダプター４００およびカメラ部５００、眼底カメラ本体部９００は制御回路部９０５を介してパソコン９２５に接続される。断層画像撮像特有の制御対象である、光源、シャッター、ラインセンサ、ＸＹスキャナは制御回路部９０５にドライバーなどを設置しており、制御回路部９０５をアダプター４００との間に接続することによりパソコン９２５にて各部が制御可能となる。また、眼底カメラ本体部９００に備わる操作スイッチ９０４およびカメラ部５００も制御回路部９０５に接続することでこれらを眼底カメラ７００単体での動作とは異なり、眼底撮像装置２００の構成での動作として制御可能とする。これは実施例１及び２と同様に操作スイッチ９０４の機能がステップごとに異なることに対応できる。例えば、図６のステップ２００４において操作スイッチ９０４が押下されるとプレスキャン用のスキャン動作を開始するが、この際にも操作スイッチ９０４の押下によってカメラ部５００での眼底撮像動作をさせない、といった眼底撮像装置２００特有の制御が可能となる。
【０１０９】
よって本実施例においては、眼底カメラ構成から断層画像も撮像できる眼底撮像装置へと簡単に変更ができたうえで、操作スイッチを両方の状態で共有することで、部品点数が少なくなり、検者の使い勝手に大きな変化が無く、違和感無く両方の状態で使用可能となる。
【符号の説明】
【０１１０】
１００  断層画像撮像部
１２５  制御部
２００  眼底撮像装置
８０４  操作スイッチ
９００  眼底カメラ本体部
９０５  制御回路部
９２５  パソコン
【図１】
2020175213.tif 000003
【図２】
2020175213.tif 000004
【図３】
2020175213.tif 000005
【図４】
2020175213.tif 000006
【図５】
2020175213.tif 000007
【図６】
2020175213.tif 000008
【図７】
2020175213.tif 000009
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
測定光を照射した被検眼からの戻り光と参照光との合波光に基づいて、前記被検眼の第１の断層画像を取得し、前記被検眼の第２の断層画像を取得するための取得指示に応じて、測定光を照射した前記被検眼からの戻り光と参照光との合波光に基づいて、前記被検眼の第２の断層画像を取得する断層画像取得手段と、
前記被検眼の断層画像の取得に関する調整を可能とするように構成された第１の画面に前記第１の断層画像と、測定光の光路長と参照光の光路長とに基づくゲート位置を変更するための表示情報とを表示させ、前記第１の断層画像を前記第１の画面に表示させた状態で前記取得指示が実行された後、表示手段の表示を前記第１の画面から、前記取得指示に応じて得た第２の断層画像の表示を可能とするように構成された第２の画面に変更し、前記取得指示に応じて得た第２の断層画像を前記第２の画面に表示させ、検者からの指示に応じて前記表示手段の表示を前記第２の画面から他の画面に変更する制御手段と、
を有することを特徴とする撮像装置。
【請求項２】
前記制御手段は、前記第１の断層画像と前記第１の断層画像に関する数値のレベルを示す表示情報とを前記第１の画面に表示させることを特徴とする請求項１に記載の撮像装置。
【請求項３】
前記制御手段は、前記数値のレベルを示す表示情報として、前記第１の断層画像の明るさに対応する数値のレベルを示す表示情報、または前記第１の断層画像の輝度値の最大値と背景ノイズの輝度値との比を示す表示情報を、前記第１の画面に表示させることを特徴とする請求項２に記載の撮像装置。
【請求項４】
前記制御手段は、前記取得指示に応じて前記被検眼の第２の断層画像が得られた後、前記表示手段の表示を前記第１の画面から前記第２の画面に変更することを特徴とする請求項１乃至３のいずれか１項に記載の撮像装置。
【請求項５】
前記制御手段は、前記取得指示に応じて得た第２の断層画像と前記取得指示に応じて得た第２の断層画像に関する良否判定を示す表示情報とを前記第２の画面に表示させることを特徴とする請求項１乃至４のいずれか１項に記載の撮像装置。
【請求項６】
測定光を照射した被検眼からの戻り光と参照光との合波光に基づいて、前記被検眼の第１の断層画像を取得し、前記被検眼の第２の断層画像を取得するための取得指示に応じて、測定光を照射した前記被検眼からの戻り光と参照光との合波光に基づいて、前記被検眼の第２の断層画像を取得する断層画像取得手段と、
前記被検眼の断層画像の取得に関する調整を可能とするように構成された第１の画面に前記第１の断層画像を表示させ、前記第１の断層画像を前記第１の画面に表示させた状態で前記取得指示が実行された後、表示手段の表示を前記第１の画面から、前記取得指示に応じて得た第２の断層画像の表示を可能とするように構成された第２の画面に変更し、前記取得指示に応じて得た第２の断層画像と、前記取得指示に応じて得た第２の断層画像に関する良否判定を示す表示情報とを前記第２の画面に表示させ、検者からの指示に応じて前記表示手段の表示を前記第２の画面から他の画面に変更する制御手段と、
を有することを特徴とする撮像装置。
【請求項７】
前記制御手段は、前記良否判定を示す表示情報として、前記取得指示に応じて得た第２の断層画像の枠の強調に関する情報を前記第２の画面に表示させることを特徴とする請求項５または６に記載の撮像装置。
【請求項８】
前記制御手段は、前記表示手段の表示を前記他の画面に変更するための表示情報に対する検者からの１回の指示に応じて前記表示手段の表示を前記第２の画面から前記他の画面として前記被検眼と前記撮像装置との位置合わせを行うための画面または患者の検査に関する情報を設定するための画面に変更することを特徴とする請求項１乃至７のいずれか１項に記載の撮像装置。
【請求項９】
前記制御手段は、前記取得指示に応じて得た第２の断層画像が失敗である場合のボタンを前記第２の画面に表示させ、前記失敗である場合のボタンに対する検者からの指示に応じて前記表示手段の表示を前記第２の画面から前記他の画面に変更することを特徴とする請求項１乃至７のいずれか１項に記載の撮像装置。
【請求項１０】
測定光を照射した被検眼からの戻り光と参照光との合波光に基づいて、前記被検眼の第１の断層画像を取得し、前記被検眼の第２の断層画像を取得するための取得指示に応じて、測定光を照射した前記被検眼からの戻り光と参照光との合波光に基づいて、前記被検眼の第２の断層画像を取得する断層画像取得手段と、
前記被検眼の断層画像の取得に関する調整を可能とするように構成された第１の画面に前記第１の断層画像を表示させ、前記第１の断層画像を前記第１の画面に表示させた状態で前記取得指示が実行された後、表示手段の表示を前記第１の画面から、前記取得指示に応じて得た第２の断層画像の表示を可能とするように構成された第２の画面に変更し、前記取得指示に応じて得た第２の断層画像と、前記取得指示に応じて得た第２の断層画像が失敗である場合のボタンとを前記第２の画面に表示させ、前記失敗である場合のボタンに対する検者からの指示に応じて前記表示手段の表示を前記第２の画面から他の画面に変更する制御手段と、
を有することを特徴とする撮像装置。
【請求項１１】
前記制御手段は、前記取得指示に応じて得た第２の断層画像を保存するための保存ボタンと前記失敗である場合のボタンとを前記第２の画面に表示させることを特徴とする請求項９または１０に記載の撮像装置。
【請求項１２】
前記制御手段は、前記被検眼の眼底画像と前記第１の断層画像とを並べて前記第１の画面に表示させるとともに、前記眼底画像に対して前記被検眼の断層画像の取得位置を示す表示情報を重畳した状態で前記第１の画面に表示させ、前記眼底画像に対して前記取得位置を示す表示情報を移動させるための検者からの指示に応じて前記被検眼において前記測定光を走査する走査手段を制御することを特徴とする請求項１乃至１１のいずれか１項に記載の撮像装置。
【請求項１３】
前記制御手段は、測定光の光路長と参照光の光路長とに基づくゲート位置を変更するための表示情報であるスライダと前記第１の断層画像とを並べて前記第１の画面に表示させ、前記スライダに対する検者からの指示を用いて前記ゲート位置を変更する変更手段を制御することを特徴とする請求項１乃至１２のいずれか１項に記載の撮像装置。
【請求項１４】
前記制御手段は、前記被検眼の略同一位置の断層画像を繰り返し取得して得たＢスキャン画像を前記第１の断層画像として前記第１の画面に順次表示させることを特徴とする請求項１乃至１３のいずれか１項に記載の撮像装置。
【請求項１５】
測定光を照射した被検眼からの戻り光と参照光との合波光に基づいて、前記被検眼の第１の断層画像を取得し、前記被検眼の第２の断層画像を取得するための取得指示に応じて、測定光を照射した前記被検眼からの戻り光と参照光との合波光に基づいて、前記被検眼の第２の断層画像を取得する断層画像取得手段と、
前記被検眼の断層画像の取得に関する調整を可能とするように構成された第１の画面に前記第１の断層画像と、測定光の光路長と参照光の光路長とに基づくゲート位置を変更するための表示情報とを表示させ、前記第１の断層画像を前記第１の画面に表示させた状態で前記取得指示が実行された後、表示手段の表示を前記第１の画面から、前記取得指示に応じて得た第２の断層画像の確認の表示を可能とするように構成された第２の画面に変更し、前記取得指示に応じて得た第２の断層画像を前記第２の画面に表示させ、検者からの指示に応じて前記表示手段の表示を前記第２の画面から他の画面に変更する制御手段と、
を有することを特徴とする制御装置。
【請求項１６】
前記制御手段は、前記第１の断層画像と前記第１の断層画像に関する数値のレベルを示す表示情報とを前記第１の画面に表示させることを特徴とする請求項１５に記載の制御装置。
【請求項１７】
前記制御手段は、前記数値のレベルを示す表示情報として、前記第１の断層画像の明るさに対応する数値のレベルを示す表示情報、または前記第１の断層画像の輝度値の最大値と背景ノイズの輝度値との比を示す表示情報を、前記第１の画面に表示させることを特徴とする請求項１６に記載の制御装置。
【請求項１８】
前記制御手段は、前記取得指示に応じて前記被検眼の第２の断層画像が得られた後、前記表示手段の表示を前記第１の画面から前記第２の画面に変更することを特徴とする請求項１５乃至１７のいずれか１項に記載の制御装置。
【請求項１９】
前記制御手段は、前記取得指示に応じて得た第２の断層画像と前記取得指示に応じて得た第２の断層画像に関する良否判定を示す表示情報とを前記第２の画面に表示されることを特徴とする請求項１５乃至１８のいずれか１項に記載の制御装置。
【請求項２０】
測定光を照射した被検眼からの戻り光と参照光との合波光に基づいて、前記被検眼の第１の断層画像を取得し、前記被検眼の第２の断層画像を取得するための取得指示に応じて、測定光を照射した前記被検眼からの戻り光と参照光との合波光に基づいて、前記被検眼の第２の断層画像を取得する断層画像取得手段と、
前記被検眼の断層画像の取得に関する調整を可能とするように構成された第１の画面に前記第１の断層画像を表示させ、前記第１の断層画像を前記第１の画面に表示させた状態で前記取得指示が実行された後、表示手段の表示を前記第１の画面から、前記取得指示に応じて得た第２の断層画像の表示を可能とするように構成された第２の画面に変更し、前記取得指示に応じて得た第２の断層画像と、前記取得指示に応じて得た第２の断層画像に関する良否判定を示す表示情報とを前記第２の画面に表示させ、検者からの指示に応じて前記表示手段の表示を前記第２の画面から他の画面に変更する制御手段と、
を有することを特徴とする制御装置。
【請求項２１】
前記制御手段は、前記良否判定を示す表示情報として、前記取得指示に応じて得た第２の断層画像の枠の強調に関する情報を前記第２の画面に表示させることを特徴とする請求項１９または２０に記載の制御装置。
【請求項２２】
前記制御手段は、前記表示手段の表示を前記他の画面に変更するための表示情報に対する検者からの１回の指示に応じて前記表示手段の表示を前記第２の画面から前記他の画面として前記被検眼と前記撮像装置との位置合わせを行うための画面または患者の検査に関する情報を設定するための画面に変更することを特徴とする請求項１５乃至２１のいずれか１項に記載の制御装置。
【請求項２３】
前記制御手段は、前記取得指示に応じて得た第２の断層画像が失敗である場合のボタンを前記第２の画面に表示させ、前記失敗である場合のボタンに対する検者からの指示に応じて前記表示手段の表示を前記第２の画面から前記他の画面に変更することを特徴とする請求項１５乃至２１のいずれか１項に記載の制御装置。
【請求項２４】
測定光を照射した被検眼からの戻り光と参照光との合波光に基づいて、前記被検眼の第１の断層画像を取得し、前記被検眼の第２の断層画像を取得するための取得指示に応じて、測定光を照射した前記被検眼からの戻り光と参照光との合波光に基づいて、前記被検眼の第２の断層画像を取得する断層画像取得手段と、
前記被検眼の断層画像の取得に関する調整を可能とするように構成された第１の画面に前記第１の断層画像を表示させ、前記第１の断層画像を前記第１の画面に表示させた状態で前記取得指示が実行された後、表示手段の表示を前記第１の画面から、前記取得指示に応じて得た第２の断層画像の表示を可能とするように構成された第２の画面に変更し、前記取得指示に応じて得た第２の断層画像と、前記取得指示に応じて得た第２の断層画像が失敗である場合のボタンとを前記第２の画面に表示させ、前記失敗である場合のボタンに対する検者からの指示に応じて前記表示手段の表示を前記第２の画面から他の画面に変更する制御手段と、
を有することを特徴とする制御装置。
【請求項２５】
前記制御手段は、前記取得指示に応じて得た第２の断層画像を保存するための保存ボタンと前記失敗である場合のボタンとを前記第２の画面に表示させることを特徴とする請求項２３または２４に記載の制御装置。
【請求項２６】
前記制御手段は、前記被検眼の眼底画像と前記第１の断層画像とを並べて前記第１の画面に表示させるとともに、前記眼底画像に対して前記被検眼の断層画像の取得位置を示す表示情報を重畳した状態で前記第１の画面に表示させ、前記眼底画像に対して前記取得位置を示す表示情報を移動させるための検者からの指示に応じて前記被検眼において前記測定光を走査する走査手段を制御することを特徴とする請求項１５乃至２５のいずれか１項に記載の制御装置。
【請求項２７】
前記制御手段は、測定光の光路長と参照光の光路長とに基づくゲート位置を変更するための表示情報であるスライダと前記第１の断層画像とを並べて前記第１の画面に表示させ、前記スライダに対する検者からの指示を用いて前記ゲート位置を変更する変更手段を制御することを特徴とする請求項１５乃至２６のいずれか１項に記載の制御装置。
【請求項２８】
前記制御手段は、前記被検眼の略同一位置の断層画像を繰り返し取得して得たＢスキャン画像を前記第１の断層画像として前記第１の画面に順次表示させることを特徴とする請求項１５乃至２７のいずれか１項に記載の制御装置。
【請求項２９】
測定光を照射した被検眼からの戻り光と参照光との合波光に基づいて、前記被検眼の第１の断層画像を取得し、前記被検眼の第２の断層画像を取得するための取得指示に応じて、測定光を照射した前記被検眼からの戻り光と参照光との合波光に基づいて、前記被検眼の第２の断層画像を取得する工程と、
前記被検眼の断層画像の取得に関する調整を可能とするように構成された第１の画面に前記第１の断層画像と、測定光の光路長と参照光の光路長とに基づくゲート位置を変更するための表示情報とを表示させ、前記第１の断層画像を前記第１の画面に表示させた状態で前記取得指示が実行された後、表示手段の表示を前記第１の画面から、前記取得指示に応じて得た第２の断層画像の確認の表示を可能とするように構成された第２の画面に変更し、前記取得指示に応じて得た第２の断層画像を前記第２の画面に表示させ、検者からの指示に応じて前記表示手段の表示を前記第２の画面から他の画面に変更する工程と、
を有することを特徴とする制御方法。
【請求項３０】
測定光を照射した被検眼からの戻り光と参照光との合波光に基づいて、前記被検眼の第１の断層画像を取得し、前記被検眼の第２の断層画像を取得するための取得指示に応じて、測定光を照射した前記被検眼からの戻り光と参照光との合波光に基づいて、前記被検眼の第２の断層画像を取得する工程と、
前記被検眼の断層画像の取得に関する調整を可能とするように構成された第１の画面に前記第１の断層画像を表示させ、前記第１の断層画像を前記第１の画面に表示させた状態で前記取得指示が実行された後、表示手段の表示を前記第１の画面から、前記取得指示に応じて得た第２の断層画像の表示を可能とするように構成された第２の画面に変更し、前記取得指示に応じて得た第２の断層画像と、前記取得指示に応じて得た第２の断層画像に関する良否判定を示す表示情報とを前記第２の画面に表示させ、検者からの指示に応じて前記表示手段の表示を前記第２の画面から他の画面に変更する工程と、
を有することを特徴とする制御方法。
【請求項３１】
測定光を照射した被検眼からの戻り光と参照光との合波光に基づいて、前記被検眼の第１の断層画像を取得し、前記被検眼の第２の断層画像を取得するための取得指示に応じて、測定光を照射した前記被検眼からの戻り光と参照光との合波光に基づいて、前記被検眼の第２の断層画像を取得する工程と、
前記被検眼の断層画像の取得に関する調整を可能とするように構成された第１の画面に前記第１の断層画像を表示させ、前記第１の断層画像を前記第１の画面に表示させた状態で前記取得指示が実行された後、表示手段の表示を前記第１の画面から、前記取得指示に応じて得た第２の断層画像の表示を可能とするように構成された第２の画面に変更し、前記取得指示に応じて得た第２の断層画像と、前記取得指示に応じて得た第２の断層画像が失敗である場合のボタンとを前記第２の画面に表示させ、前記失敗である場合のボタンに対する検者からの指示に応じて前記表示手段の表示を前記第２の画面から他の画面に変更する工程と、
を有することを特徴とする制御方法。
【請求項３２】
請求項２９乃至３１のいずれか１項に記載の制御方法の各工程をコンピュータに実行させるプログラム。
【手続補正２】
【補正対象書類名】明細書
【補正対象項目名】０００６
【補正方法】変更
【補正の内容】
【０００６】
本発明に係る撮像装置の一つは、
測定光を照射した被検眼からの戻り光と参照光との合波光に基づいて、前記被検眼の第１の断層画像を取得し、前記被検眼の第２の断層画像を取得するための取得指示に応じて、測定光を照射した前記被検眼からの戻り光と参照光との合波光に基づいて、前記被検眼の第２の断層画像を取得する断層画像取得手段と、
前記被検眼の断層画像の取得に関する調整を可能とするように構成された第１の画面に前記第１の断層画像と、測定光の光路長と参照光の光路長とに基づくゲート位置を変更するための表示情報とを表示させ、前記第１の断層画像を前記第１の画面に表示させた状態で前記取得指示が実行された後、表示手段の表示を前記第１の画面から、前記取得指示に応じて得た第２の断層画像の表示を可能とするように構成された第２の画面に変更し、前記取得指示に応じて得た第２の断層画像を前記第２の画面に表示させ、検者からの指示に応じて前記表示手段の表示を前記第２の画面から他の画面に変更する制御手段と、を有する。